【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
プロセッサ実行可能命令が保存されたプロセッサにより読取可能な媒体であって、前記プロセッサ実行可能命令は、プロセッサによって実行されると、前記プロセッサにユーザの生理学的動きを検出させ、前記プロセッサ実行可能命令は、
電子処理デバイスへ接続されたスピーカを介してユーザの近隣の音声信号の生成を制御せよとの命令と、
前記電子処理デバイスへ接続されたマイクロフォンを介してユーザから反射された音声信号の感知を制御せよとの命令と、
前記感知された音声信号を処理せよとの命令と、
前記処理された音声信号から呼吸信号を検出せよとの命令と、を含み、
前記音声信号は、（ａ）パルスを形成する音色ペア、および（ｂ）三角波形または正弦波形を形成する周波数が変化する反復波形のうちいずれかを含む、プロセッサにより読取可能な媒体。
【請求項２】
前記音声信号は非可聴音レンジ内にある、請求項１に記載のプロセッサにより読取可能な媒体。
【請求項３】
前記音声信号はフレームのシーケンスを含み、各フレームは一連の音色ペアを含み、各音色ペアは、前記フレーム内の各時間スロットと関連付けられる、請求項１または２に記載のプロセッサにより読取可能な媒体。
【請求項４】
音色ペアは、第１の周波数および第２の周波数を含み、前記第１の周波数および第２の周波数は異なる、請求項３に記載のプロセッサにより読取可能な媒体。
【請求項５】
（ａ）前記フレーム内の一連の音色ペアは、第１の音色ペアおよび第２の音色ペアを含み、第１の音色ペアの周波数は、第２の音色ペアの周波数と異なり、（ｂ）前記フレームの時間スロットの音色ペアは、前記時間スロットの開始部および終了部においてゼロ振幅を有し、前記開始部と前記終了部との間のピーク振幅に対しておよび前記ピーク振幅からランピング振幅を有する、請求項３または４に記載のプロセッサにより読取可能な媒体。
【請求項６】
前記フレームの時間幅は変動するものであり、（ａ）前記時間幅は前記フレームのスロット幅であるか、または（ｂ）前記時間幅は前記フレームの幅である、請求項３〜５のうちいずれか一項に記載のプロセッサにより読取可能な媒体。
【請求項７】
スロットのフレームの音色ペアのシーケンスは、前記フレームの異なるスロットに対して異なる周波数のパターンを形成する、請求項１〜６のうちいずれか一項に記載のプロセッサにより読取可能な媒体。
【請求項８】
（ａ）前記異なる周波数のパターンは、複数のフレームにおいて反復されるか、または（ｂ）前記異なる周波数のパターンは、スロットの複数のフレーム中のスロットの異なるフレームについて変化される、請求項７に記載のプロセッサにより読取可能な媒体。
【請求項９】
（ａ）前記音声信号の生成を制御せよとの命令は、音色ペアフレーム変調器を含む、および／または、前記ユーザから反射された前記音声信号の感知を制御せよとの命令は、フレームバッファを含む、請求項１〜８のうちいずれか一項に記載のプロセッサにより読取可能な媒体。
【請求項１０】
前記ユーザから反射された前記感知された音声信号を処理せよとの命令は、前記呼吸信号を含む１つ以上のベースバンド動き信号を生成する復調器を含む、請求項１〜９のうちいずれか一項に記載のプロセッサにより読取可能な媒体。
【請求項１１】
前記フレームの各時間スロットの持続期間は、音色ペア間の周波数差によって除算されたものに等しい、請求項３に記載のプロセッサにより読取可能な媒体。
【請求項１２】
前記音声信号は、前記周波数が変化する反復波形を含む、請求項１または２に記載のプロセッサにより読取可能な媒体。
【請求項１３】
前記反復波形は、位相連続型である、請求項１２に記載のプロセッサにより読取可能な媒体。
【請求項１４】
前記周波数が変化する反復波形は、前記三角形および前記正弦波形のうち１つを含む、請求項１２に記載のプロセッサにより読取可能な媒体。
【請求項１５】
前記反復波形の形態の１つ以上のパラメータを変化させよとの命令をさらに含み、前記１つ以上のパラメータは、（ａ）前記反復波形の反復部分のピーク位置、（ｂ）前記反復波形の反復部分の傾斜部分の勾配、および（ｃ）前記反復波形の反復部分の周波数範囲、のうち任意の１つ以上を含む、請求項１２〜１４のうちいずれか一項に記載のプロセッサにより読取可能な媒体。
【請求項１６】
前記周波数が変化する反復波形は、前記三角波形を含み、前記三角波形は、対称な三角波形である、請求項１２または１３に記載のプロセッサにより読取可能な媒体。
【請求項１７】
（ａ）前記感知された音声信号の処理を制御せよとの命令は、前記生成された音声信号を前記感知された音声信号と相関付けて同期をチェックすることを含む、および／または、（ｂ）前記感知された音声信号を処理せよとの命令は、前記呼吸信号を含むデータを生成するダウンコンバータを含む、請求項１〜１６のうちいずれか一項に記載のプロセッサにより読取可能な媒体。
【請求項１８】
（ａ）前記ダウンコンバータは、前記生成された音声信号を示す信号と、前記感知された音声信号との混合のウィンドウ生成されたフィルタリング出力の周波数ドメイン変換行列を生成する、および／または、（ｂ）前記呼吸信号を検出せよとの命令は、前記ダウンコンバータによって生成されたデータマトリックスの複数のチャンネルから振幅および位相情報を抽出することを含む、請求項１７に記載のプロセッサにより読取可能な媒体。
【請求項１９】
前記呼吸信号を検出せよとの命令は、前記データマトリックスから複数の特徴を計算することをさらに含み、前記複数の特徴は、（ａ）フルバンドメトリックと２乗されたインバンド、（ｂ）インバンドメトリック、（ｃ）尖度メトリック、および（ｄ）周波数ドメイン分析メトリック、のうち任意の１つ以上を含む、請求項１８に記載のプロセッサにより読取可能な媒体。
【請求項２０】
前記プロセッサ実行可能命令は、
身体動きの音声に基づいた検出を前記電子処理デバイスの１つ以上の特性の評価により較正せよとの命令と、
前記音声信号を前記評価に基づいて生成せよとの命令とをさらに含む、請求項１〜１９のうちいずれか一項に記載のプロセッサにより読取可能な媒体。
【請求項２１】
前記プロセッサ実行可能命令は、
ペットセットアップモードを作動させよとの命令をさらに含み、前記音声信号を生成するための周波数は、ユーザ入力に基づいて選択され、１つ以上の試験音声信号が生成される、請求項１〜２０のうちいずれか一項に記載のプロセッサにより読取可能な媒体。
【請求項２２】
前記プロセッサ実行可能命令は、
（ａ）前記電子処理デバイスとのユーザ対話の検出に基づいて前記音声信号の生成を停止せよとの命令であって、前記検出されたユーザ対話は、加速度計による前記電子処理デバイスの動きの検出、ボタン押圧の検出、画面接触の検出、電話着信の検出のうち任意の１つ以上を含む、命令、および／または、
（ｂ）前記電子処理デバイスとのユーザ対話の不在の検出に基づいて前記音声信号の生成を開始せよとの命令をさらに含む、請求項１〜２１のうちいずれか一項に記載のプロセッサにより読取可能な媒体。
【請求項２３】
前記プロセッサ実行可能命令は、
前記ユーザから反射された、前記感知された音声信号の処理に基づいて全身の動きを検出せよとの命令、をさらに含む、請求項１〜２２のうちいずれか一項に記載のプロセッサにより読取可能な媒体。
【請求項２４】
前記プロセッサ実行可能命令は、
（１）前記マイクロフォンを介して感知された音声信号を処理して環境音声、会話音声および呼吸音のうち任意の１つ以上を評価することでユーザ動きを検出せよとの命令、をさらに含む、および／または、
（２）（ａ）睡眠を示す睡眠状態、（ｂ）覚醒を示す睡眠状態、（ｃ）深い睡眠を示す睡眠段階、（ｄ）軽い睡眠を示す睡眠段階、および（ｅ）ＲＥＭ睡眠を示す睡眠段階のうち任意の１つ以上を決定するように呼吸信号を処理せよとの命令をさらに含む、請求項１〜２３のうちいずれか一項に記載のプロセッサにより読取可能な媒体。
【請求項２５】
前記プロセッサ実行可能命令は、
前記電子処理デバイスの近隣の音声周波数の検出および前記検出された音声周波数と異なる前記音声信号の周波数範囲の選択が行われるセットアップモードを動作させよとの命令、をさらに含む、請求項１〜２４のうちいずれか一項に記載のプロセッサにより読取可能な媒体。
【請求項２６】
前記セットアップモードを作動させよとの命令は、前記検出された音声周波数と重複していない周波数範囲を選択する、請求項２５に記載のプロセッサにより読取可能な媒体。
【請求項２７】
請求項１〜２６のうちいずれか一項に記載の前記プロセッサにより読取可能な媒体へのアクセスを有するサーバであって、前記サーバは、前記プロセッサにより読取可能な媒体の前記プロセッサ実行可能命令を、ネットワークを介して電子処理デバイスへダウンロードせよとの命令を受信するように構成される、サーバ。
【請求項２８】
モバイル電子デバイスであって、１つ以上のプロセッサと、前記１つ以上のプロセッサへ接続されたスピーカと、前記１つ以上のプロセッサへ接続されたマイクロフォンと、請求項１〜２７のうちいずれか一項に記載のプロセッサにより読取可能な媒体とを含む、モバイル電子デバイス。
【請求項２９】
請求項１〜２６のうちいずれか一項に記載の前記プロセッサにより読取可能な媒体へアクセスを有するサーバの方法であって、前記方法は、前記プロセッサにより読取可能な媒体の前記プロセッサ実行可能命令を、ネットワークを介して電子処理デバイスへダウンロードせよとのリクエストを前記サーバにおいて受信することと、前記リクエストに応答して前記プロセッサ実行可能命令を前記電子処理デバイスへ送信することとを含む、方法。
【請求項３０】
モバイル電子デバイスを用いて身体動きを検出するためのプロセッサの方法であって、
請求項１〜２６のうちいずれか一項に記載の前記プロセッサにより読取可能な媒体にプロセッサからアクセスすることと、
前記プロセッサにより読取可能な媒体の前記プロセッサ実行可能命令を前記プロセッサにおいて実行することと、を含む、方法。
【請求項３１】
モバイル電子デバイスを用いて身体動きを検出するためのプロセッサの方法であって、
前記モバイル電子デバイスへ接続されたスピーカを介してユーザの近隣の音声信号の生成を制御することと、
前記モバイル電子デバイスへ接続されたマイクロフォンを介して前記ユーザから反射された音声信号の感知を制御することと、
前記感知された反射された音声信号を処理することと、
前記処理された反射された音声信号から呼吸信号を検出することと、を含み、
前記音声信号は、（ａ）パルスを形成する音色ペア、および（ｂ）三角波形または正弦波形を形成する周波数が変化する反復波形のうちいずれかを含む、方法。
【請求項３２】
前記音声信号は、前記三角を形成する前記周波数が変化する反復波形を含む、請求項３１に記載の方法。
【請求項３３】
モバイル電子デバイスを用いて動きおよび呼吸を検出する方法であって、
前記モバイル電子デバイス上のスピーカを介して音声信号をユーザへ送信することと、
反射された音声信号を前記モバイル電子デバイス上のマイクロフォンを介して感知することであって、前記反射された音声信号は、前記ユーザから反射される、ことと、
前記反射された音声信号から呼吸および動き信号を検出することと、を含み、
前記音声信号は、（ａ）パルスを形成する音色ペア、および（ｂ）三角波形または正弦波形を形成する周波数が変化する反復波形のうちいずれかを含む、方法。
【請求項３４】
前記音声信号は非可聴音声信号である、請求項３３に記載の方法。
【請求項３５】
送信の前に、ＦＭＣＷ変調スキーム、ＦＨＲＧ変調スキーム、ＡＦＨＲＧ変調スキーム、ＣＷ変調スキーム、ＵＷＢ変調スキームまたはＡＣＷ変調スキームのうち１つを用いて前記音声信号を変調させる、請求項３３に記載の方法。
【請求項３６】
前記音声信号を生成することは、
前記モバイル電子デバイスの１つ以上の特性を評価するための較正機能を行うことと、
前記較正機能に基づいて前記音声信号を生成することと、を含む、請求項３３〜３５のうちいずれか一項に記載の方法。
【請求項３７】
動きおよび呼吸を検出する方法であって、
ユーザへ方向付けられる音声信号を生成することと、
前記ユーザから反射された音声信号を感知することと、
前記感知された反射された音声信号から呼吸および動き信号を検出することと、を含み、前記音声信号は、（ａ）パルスを形成する音色ペア、および（ｂ）三角波形または正弦波形を形成する周波数が変化する反復波形のうちいずれかを含む、方法。
【請求項３８】
前記生成すること、送信すること、感知することおよび検出することは、ベッドサイドデバイスまたはＣＰＡＰデバイスにおいて行われる、請求項３７に記載の方法。
【請求項３９】
前記音声信号は、前記三角波形を形成する前記周波数が変化する反復波形を含む、請求項３７または３８に記載の方法。 
【手続補正２】
【補正対象書類名】明細書
【補正対象項目名】０２４５
【補正方法】変更
【補正の内容】
【０２４５】
よって、本技術の意図および範囲から逸脱することなく、例示的な実施例において多数の変更例が可能であり、また、他の配置構成が考案され得ることが理解されるべきである。
なお、本願の出願当初の開示事項を維持するために、本願の出願当初の請求項１〜６５の記載内容を以下に追加する。
（請求項１）
プロセッサ実行可能命令が保存されたプロセッサにより読取可能な媒体であって、前記プロセッサ実行可能命令は、プロセッサによって実行されると、前記プロセッサにユーザの生理学的動きを検出させ、前記プロセッサ実行可能命令は、
電子処理デバイスへ接続されたスピーカを介してユーザの近隣の音声信号の生成を制御せよとの命令と、
前記電子処理デバイスへ接続されたマイクロフォンを介してユーザから反射された音声信号の感知を制御せよとの命令と、
前記感知された音声信号を処理せよとの命令と、
前記処理された音声信号から呼吸信号を検出せよとの命令と、を含む、プロセッサにより読取可能な媒体。
（請求項２）
前記音声信号は非可聴音レンジ内にある、請求項１に記載のプロセッサにより読取可能な媒体。
（請求項３）
前記音声信号は、パルスを形成する音色ペアを含む、請求項１〜２のうちいずれか一項に記載のプロセッサにより読取可能な媒体。
（請求項４）
前記音声信号はフレームのシーケンスを含み、各フレームは一連の音色ペアを含み、各音色ペアは、前記フレーム内の各時間スロットと関連付けられる、請求項１〜３のうちいずれか一項に記載のプロセッサにより読取可能な媒体。
（請求項５）
音色ペアは、第１の周波数および第２の周波数を含み、前記第１の周波数および第２の周波数は異なる、請求項４に記載のプロセッサにより読取可能な媒体。
（請求項６）
前記第１の周波数および第２の周波数は、相互に直交する、請求項５に記載のプロセッサにより読取可能な媒体。
（請求項７）
前記フレーム内の一連の音色ペアは、第１の音色ペアおよび第２の音色ペアを含み、第１の音色ペアの周波数は、第２の音色ペアの周波数と異なる、請求項４〜６のうちいずれか一項に記載のプロセッサにより読取可能な媒体。
（請求項８）
前記フレームの時間スロットの音色ペアは、前記時間スロットの開始部および終了部においてゼロ振幅を有し、前記開始部と前記終了部との間のピーク振幅に対しておよび前記ピーク振幅からランピング振幅を有する、請求項４〜７のうちいずれか一項に記載のプロセッサにより読取可能な媒体。
（請求項９）
前記フレームの時間幅は変動する、請求項４〜８のうちいずれか一項に記載のプロセッサにより読取可能な媒体。
（請求項１０）
前記時間幅は前記フレームのスロット幅である、請求項９に記載のプロセッサにより読取可能な媒体。
（請求項１１）
前記時間幅は、前記フレームの幅である、請求項９に記載のプロセッサにより読取可能な媒体。
（請求項１２）
スロットのフレームの音色ペアのシーケンスは、前記フレームの異なるスロットに対して異なる周波数のパターンを形成する、請求項１〜１１のうちいずれか一項に記載のプロセッサにより読取可能な媒体。
（請求項１３）
前記異なる周波数のパターンは、複数のフレームにおいて反復される、請求項１２に記載のプロセッサにより読取可能な媒体。
（請求項１４）
前記異なる周波数のパターンは、スロットの複数のフレーム中のスロットの異なるフレームについて変化される、請求項１２に記載のプロセッサにより読取可能な媒体。
（請求項１５）
前記音声信号の生成を制御せよとの命令は、音色ペアフレーム変調器を含む、請求項１〜１４のうちいずれか一項に記載のプロセッサにより読取可能な媒体。
（請求項１６）
前記ユーザから反射された前記音声信号の感知を制御せよとの命令は、フレームバッファを含む、請求項１〜１５のうちいずれか一項に記載のプロセッサにより読取可能な媒体。
（請求項１７）
前記ユーザから反射された前記感知された音声信号を処理せよとの命令は、前記呼吸信号を含む１つ以上のベースバンド動き信号を生成する復調器を含む、請求項１〜１６のうちいずれか一項に記載のプロセッサにより読取可能な媒体。
（請求項１８）
前記復調器は、複数のベースバンド動き信号を生成し、前記複数のベースバンド動き信号は、直交ベースバンド動き信号を含む、請求項１７に記載のプロセッサにより読取可能な媒体。
（請求項１９）
前記複数のベースバンド動き信号を処理せよとの命令をさらに含み、前記複数のベースバンド動き信号を処理せよとの命令は、前記複数のベースバンド動き信号から組み合わされたベースバンド動き信号を生成するために、中間周波数処理モジュールおよび最適化処理モジュールを含み、前記組み合わされたベースバンド動き信号は前記呼吸信号を含む、請求項１８に記載のプロセッサにより読取可能な媒体。
（請求項２０）
前記呼吸信号を検出せよとの命令は、前記組み合わされたベースバンド動き信号から呼吸速度を決定することを含む、請求項１９に記載のプロセッサにより読取可能な媒体。
（請求項２１）
前記フレームの各時間スロットの持続期間は、音色ペア間の周波数差によって除算されたものに等しい、請求項４に従属する場合に請求項１〜２０のうちいずれか一項に記載のプロセッサにより読取可能な媒体。
（請求項２２）
前記音声信号は、周波数が変化する反復波形を含む、請求項１〜２のうちいずれか一項に記載のプロセッサにより読取可能な媒体。
（請求項２３）
前記反復波形は、位相連続型である、請求項２２に記載のプロセッサにより読取可能な媒体。
（請求項２４）
前記周波数が変化する反復波形は、鋸歯、三角形および正弦波形のうち１つを含む、請求項２２に記載のプロセッサにより読取可能な媒体。
（請求項２５）
前記反復波形の形態の１つ以上のパラメータを変化させよとの命令をさらに含む、請求項２２〜２４のうちいずれか一項に記載のプロセッサにより読取可能な媒体。
（請求項２６）
前記１つ以上のパラメータは、（ａ）前記反復波形の反復部分のピーク位置、（ｂ）前記反復波形の反復部分の傾斜部分の勾配、および（ｃ）前記反復波形の反復部分の周波数範囲、のうち任意の１つ以上を含む、請求項２５に記載のプロセッサにより読取可能な媒体。
（請求項２７）
前記周波数が変化する反復波形は、対称な三角波形を含む、請求項２３に記載のプロセッサにより読取可能な媒体。
（請求項２８）
前記音声信号の生成を制御せよとの命令は、ルーピング前記反復波形の波形を示す音声データを含む、請求項２２〜２７のうちいずれか一項に記載のプロセッサにより読取可能な媒体。
（請求項２９）
前記ユーザから反射された前記音声信号の感知を制御せよとの命令は、前記マイクロフォンからサンプリングされた音声データを保存することを含む、請求項１〜２８のうちいずれか一項に記載のプロセッサにより読取可能な媒体。
（請求項３０）
前記感知された音声信号の処理を制御せよとの命令は、前記生成された音声信号を前記感知された音声信号と相関付けて同期をチェックすることを含む、請求項１〜２９のうちいずれか一項に記載のプロセッサにより読取可能な媒体。
（請求項３１）
前記感知された音声信号を処理せよとの命令は、前記呼吸信号を含むデータを生成するダウンコンバータを含む、請求項１〜３０のうちいずれか一項に記載のプロセッサにより読取可能な媒体。
（請求項３２）
前記ダウンコンバータは、前記生成された音声信号を示す信号と、前記感知された音声信号とを混合させる、請求項３１に記載のプロセッサにより読取可能な媒体。
（請求項３３）
前記ダウンコンバータは、前記生成された音声信号を示す信号と、前記感知された音声信号との混合の出力をフィルタリングする、請求項３２に記載のプロセッサにより読取可能な媒体。
（請求項３４）
前記ダウンコンバータは、前記生成された音声信号を示す信号と、前記感知された音声信号との混合のフィルタリング出力をウィンドウ生成する、請求項３２〜３３のうちいずれか一項に記載のプロセッサにより読取可能な媒体。
（請求項３５）
前記ダウンコンバータは、前記生成された音声信号を示す信号と、前記感知された音声信号との混合のウィンドウ生成されたフィルタリング出力の周波数ドメイン変換行列を生成する、請求項３２〜３４のうちいずれか一項に記載のプロセッサにより読取可能な媒体。
（請求項３６）
前記呼吸信号を検出せよとの命令は、前記ダウンコンバータによって生成されたデータマトリックスの複数のチャンネルから振幅および位相情報を抽出することを含む、請求項３１〜３５のうちいずれか一項に記載のプロセッサにより読取可能な媒体。
（請求項３７）
前記呼吸信号を検出せよとの命令は、前記データマトリックスから複数の特徴を計算することをさらに含む、請求項３６に記載のプロセッサにより読取可能な媒体。
（請求項３８）
前記複数の特徴は、（ａ）フルバンドメトリックと２乗されたインバンド、（ｂ）インバンドメトリック、（ｃ）尖度メトリック、および（ｄ）周波数ドメイン分析メトリック、のうち任意の１つ以上を含む、請求項３７に記載のプロセッサにより読取可能な媒体。
（請求項３９）
前記呼吸信号を検出せよとの命令は、前記複数の特徴に基づいて呼吸速度を生成する、請求項３８に記載のプロセッサにより読取可能な媒体。
（請求項４０）
前記プロセッサ実行可能命令は、
身体動きの音声に基づいた検出を前記電子処理デバイスの１つ以上の特性の評価により較正せよとの命令と、
前記音声信号を前記評価に基づいて生成せよとの命令とをさらに含む、請求項１〜３９のうちいずれか一項に記載のプロセッサにより読取可能な媒体。
（請求項４１）
前記音声に基づいた検出を計算せよとの命令は、少なくとも１つのハードウェア、環境またはユーザ特有の特性を決定する、請求項４０に記載のプロセッサにより読取可能な媒体。
（請求項４２）
前記プロセッサ実行可能命令は、
ペットセットアップモードを作動させよとの命令をさらに含み、前記音声信号を生成するための周波数は、ユーザ入力に基づいて選択され、１つ以上の試験音声信号が生成される、請求項１〜４１のうちいずれか一項に記載のプロセッサにより読取可能な媒体。
（請求項４３）
前記プロセッサ実行可能命令は、
前記電子処理デバイスとのユーザ対話の検出に基づいて前記音声信号の生成を停止せよとの命令であって、前記検出されたユーザ対話は、加速度計による前記電子処理デバイスの動きの検出、ボタン押圧の検出、画面接触の検出、電話着信の検出のうち任意の１つ以上を含む、命令、をさらに含む、請求項１〜４２のうちいずれか一項に記載のプロセッサにより読取可能な媒体。
（請求項４４）
前記プロセッサ実行可能命令は、
前記電子処理デバイスとのユーザ対話の不在の検出に基づいて前記音声信号の生成を開始せよとの命令をさらに含む、請求項１〜４３のうちいずれか一項に記載のプロセッサにより読取可能な媒体。
（請求項４５）
前記プロセッサ実行可能命令は、
前記ユーザから反射された、前記感知された音声信号の処理に基づいて全身の動きを検出せよとの命令、をさらに含む、請求項１〜４４のうちいずれか一項に記載のプロセッサにより読取可能な媒体。
（請求項４６）
前記プロセッサ実行可能命令は、
前記マイクロフォンを介して感知された音声信号を処理して環境音声、会話音声および呼吸音のうち任意の１つ以上を評価することでユーザ動きを検出せよとの命令、をさらに含む、請求項１〜４５のうちいずれか一項に記載のプロセッサにより読取可能な媒体。
（請求項４７）
前記プロセッサ実行可能命令は、
（ａ）睡眠を示す睡眠状態、（ｂ）覚醒を示す睡眠状態、（ｃ）深い睡眠を示す睡眠段階、（ｄ）軽い睡眠を示す睡眠段階、および（ｅ）ＲＥＭ睡眠を示す睡眠段階のうち任意の１つ以上を決定するように呼吸信号を処理せよとの命令をさらに含む、請求項１〜４６のうちいずれか一項に記載のプロセッサにより読取可能な媒体。
（請求項４８）
前記プロセッサ実行可能命令は、
前記電子処理デバイスの近隣の音声周波数の検出および前記検出された音声周波数と異なる前記音声信号の周波数範囲の選択が行われるセットアップモードを動作させよとの命令、をさらに含む、請求項１〜４７のうちいずれか一項に記載のプロセッサにより読取可能な媒体。
（請求項４９）
前記セットアップモードを作動させよとの命令は、前記検出された音声周波数と重複していない周波数範囲を選択する、請求項４８に記載のプロセッサにより読取可能な媒体。
（請求項５０）
請求項１〜４９のうちいずれか一項に記載の前記プロセッサにより読取可能な媒体へのアクセスを有するサーバであって、前記サーバは、前記プロセッサにより読取可能な媒体の前記プロセッサ実行可能命令を、ネットワークを介して電子処理デバイスへダウンロードせよとの命令を受信するように構成される、サーバ。
（請求項５１）
モバイル電子デバイスであって、１つ以上のプロセッサと、前記１つ以上のプロセッサへ接続されたスピーカと、前記１つ以上のプロセッサへ接続されたマイクロフォンと、請求項１〜４９のうちいずれか一項に記載のプロセッサにより読取可能な媒体とを含む、モバイル電子デバイス。
（請求項５２）
請求項１〜４９のうちいずれか一項に記載の前記プロセッサにより読取可能な媒体へアクセスを有するサーバの方法であって、前記方法は、前記プロセッサにより読取可能な媒体の前記プロセッサ実行可能命令を、ネットワークを介して電子処理デバイスへダウンロードせよとのリクエストを前記サーバにおいて受信することと、前記リクエストに応答して前記プロセッサ実行可能命令を前記電子処理デバイスへ送信することとを含む、方法。
（請求項５３）
モバイル電子デバイスを用いて身体動きを検出するためのプロセッサの方法であって、
請求項１〜４９のうちいずれか一項に記載の前記プロセッサにより読取可能な媒体にプロセッサからアクセスすることと、
前記プロセッサにより読取可能な媒体の前記プロセッサ実行可能命令を前記プロセッサにおいて実行することと、を含む、方法。
（請求項５４）
モバイル電子デバイスを用いて身体動きを検出するためのプロセッサの方法であって、
前記モバイル電子デバイスへ接続されたスピーカを介してユーザの近隣の音声信号の生成を制御することと、
前記モバイル電子デバイスへ接続されたマイクロフォンを介して前記ユーザから反射された音声信号の感知を制御することと、
前記感知された反射された音声信号を処理することと、
前記処理された反射された音声信号から呼吸信号を検出することと、を含む、方法。
（請求項５５）
モバイル電子デバイスを用いて動きおよび呼吸を検出する方法であって、
前記モバイル電子デバイス上のスピーカを介して音声信号をユーザへ送信することと、
反射された音声信号を前記モバイル電子デバイス上のマイクロフォンを介して感知することであって、前記反射された音声信号は、前記ユーザから反射される、ことと、
前記反射された音声信号から呼吸および動き信号を検出することと、を含む、方法。
（請求項５６）
前記音声信号は非可聴音声信号である、請求項５５に記載の方法。
（請求項５７）
送信の前に、ＦＭＣＷ変調スキーム、ＦＨＲＧ変調スキーム、ＡＦＨＲＧ変調スキーム、ＣＷ変調スキーム、ＵＷＢ変調スキームまたはＡＣＷ変調スキームのうち１つを用いて前記音声信号を変調させる、請求項５５に記載の方法。
（請求項５８）
前記音声信号は、フレームとして送信される複数の周波数対を含む、変調された低周波超音波音声信号である。請求項５５〜５７のうちいずれか一項に記載の方法。
（請求項５９）
前記反射された音声信号が感知された際、前記反射された音声信号を復調させることであって、
前記反射された音声信号へフィルタ動作を行うことと、
前記フィルタリングされた反射された音声信号および前記送信された音声信号のタイミングを同期させることと、を含む、復調させることをさらに含む、請求項５５に記載の方法。
（請求項６０）
前記音声信号を生成することは、
前記モバイル電子デバイスの１つ以上の特性を評価するための較正機能を行うことと、
前記較正機能に基づいて前記音声信号を生成することと、を含む、請求項５５〜５９のうちいずれか一項に記載の方法。
（請求項６１）
前記較正機能は、少なくとも１つのハードウェア、環境またはユーザ特有の特性を決定するように構成される、請求項６０に記載の方法。
（請求項６２）
前記フィルタ動作はハイパスフィルタ動作である、請求項５９に記載の方法。
（請求項６３）
動きおよび呼吸を検出する方法であって、
ユーザへ方向付けられる音声信号を生成することと、
前記ユーザから反射された音声信号を感知することと、
前記感知された反射された音声信号から呼吸および動き信号を検出することと、を含む、方法。
（請求項６４）
前記生成すること、送信すること、感知することおよび検出することは、ベッドサイドデバイスにおいて行われる、請求項６３に記載の方法。
（請求項６５）
前記ベッドサイドデバイスはＣＰＡＰデバイスである、請求項６４に記載の方法。